(57)【要約】【課題】異物の挿入によって余分のコインが払い出されてしまう不正行為を確実に防止する。【解決手段】コイン払出し枚数のカウント機構（Ａ）を、ディスクローター受け盤（１７）から裏向きに突出する共通の回動支点軸（４４）へ、別個独立して回動できるように枢着された第１、２カウントアーム（４３ａ）（４３ｂ）と、その各カウントアームの先端部に枢支された第１、２カウントローラー（４１ａ）（４１ｂ）と、同じく各カウントアームの基端部を検出する１個のカウントセンサー（４６）とから形作り、予じめコイン（Ｃ）の直径よりも狭幅な基準状態としてコイン払出し口（Ｏ）へ張り出し並列された両カウントローラーが、コインにより押し広げられる両カウントアームの回動作用を、上記カウントセンサーによりコイン払出し枚数の１枚としてカウントするように設定した。【選択図】　図１６
2004086529.tif 000002
【特許請求の範囲】
【請求項１】
据付け台（１０）の表面に固定設置されて、平面視の円形なローター受け入れ凹溝（Ｇ）を区画すると共に、そのローター受け入れ凹溝（Ｇ）の円周面一部にコイン払出し口（Ｏ）が切り欠かれたローター受け盤（１７）と、
放射対称分布型に開口する複数のコイン受け入れ孔（３１）とその隣り合う相互間から裏向き一体的に突出する複数の後方弯曲翼（３２）とを備えた円盤型のディスクローター本体（２３）が、上記ローター受け盤（１７）のローター受け入れ凹溝（Ｇ）内へ落し込み嵌合されたコイン搬送用ディスクローター（Ｒ）と、
そのディスクローター（Ｒ）の回転駆動用モーター（１２）と、
上記ローター受け盤（１７）の表面へそのローター受け入れ凹溝（Ｇ）との合致連通状態に取り付け固定されて、上記ディスクローター（Ｒ）を抜け止め状態に拘束するコイン収容ホッパー（１８）と、
上記ローター受け入れ凹溝（Ｇ）の溝底面からディスクローター（Ｒ）の回転によるコイン（Ｃ）の搬送路（Ｐ）内へ起立して、そのコイン（Ｃ）を上記コイン払出し口（Ｏ）に向かって誘導するコイン誘導子（３７）と、
上記コイン払出し口（Ｏ）からのコイン払出し枚数をカウントするカウント機構（Ａ）とから成り、
上記コイン収容ホッパー（１８）からディスクローター（Ｒ）のコイン受け入れ孔（３１）を通じてコイン搬送路（Ｐ）内へ取り込んだコイン（Ｃ）を、そのディスクローター（Ｒ）の後方弯曲翼（３２）により押し進め搬送して、上記コイン払出し口（Ｏ）から順次払い出すホッパー型コイン払出し装置において、
上記カウント機構（Ａ）をローター受け盤（１７）から裏向き一体的に突出する共通の回動支点軸（４４）へ、別個独立して回動できるように枢着された第１、２カウントアーム（４３ａ）（４３ｂ）と、上記コイン払出し口（Ｏ）の開口一端縁部と開口他端縁部へ張り出し並列する位置関係として、その第１、２カウントアーム（４３ａ）（４３ｂ）の先端部へ各々枢支された遊転自在の第１、２カウントローラー（４１ａ）（４１ｂ）と、同じく第１、２カウントアーム（４３ａ）（４３ｂ）の基端部から各々一体的に張り出す検出片（４７ａ）（４７ｂ）を検出するため、上記ローター受け盤（１７）の裏面に固定支持された１個のカウントセンサー（４６）とから形作り、
上記第１、２カウントアーム（４３ａ）（４３ｂ）とローター受け盤（１７）との相互間へ各々連繋させた第１、２引張りコイルバネ（５０ａ）（５０ｂ）により、その第１、２カウントローラー（４１ａ）（４１ｂ）の向かい合う相互間隔（Ｗ）を予じめコイン（Ｃ）の直径よりも狭幅な張り出し基準状態に位置決め付勢して、
その第１、２カウントローラー（４１ａ）（４１ｂ）へコイン（Ｃ）が接触することにより押し広げられる第１、２カウントアーム（４３ａ）（４３ｂ）の回動作用と、その検出片（４７ａ）（４７ｂ）を検出するカウントセンサー（４６）により、上記コイン（Ｃ）の払出し枚数を１枚としてカウントするように設定したことを特徴とするホッパー型コイン払出し装置。
【請求項２】
据付け台（１０）の表面に固定設置されて、平面視の円形なローター受け入れ凹溝（Ｇ）を区画すると共に、そのローター受け入れ凹溝（Ｇ）の円周面一部にコイン払出し口（Ｏ）が切り欠かれたローター受け盤（１７）と、
放射対称分布型に開口する複数のコイン受け入れ孔（３１）とその隣り合う相互間から裏向き一体的に突出する複数の後方弯曲翼（３２）とを備えた円盤型のディスクローター本体（２３）が、上記ローター受け盤（１７）のローター受け入れ凹溝（Ｇ）内へ落し込み嵌合されたコイン搬送用ディスクローター（Ｒ）と、
そのディスクローター（Ｒ）の回転駆動用モーター（１２）と、
上記ローター受け盤（１７）の表面へそのローター受け入れ凹溝（Ｇ）との合致連通状態に取り付け固定されて、上記ディスクローター（Ｒ）を抜け止め状態に拘束するコイン収容ホッパー（１８）と、
上記ローター受け入れ凹溝（Ｇ）の溝底面からディスクローター（Ｒ）の回転によるコイン（Ｃ）の搬送路（Ｐ）内へ起立して、そのコイン（Ｃ）を上記コイン払出し口（Ｏ）に向かって誘導するコイン誘導子（３７）と、
上記コイン払出し口（Ｏ）からのコイン払出し枚数をカウントするカウント機構（Ａ）とから成り、
上記コイン収容ホッパー（１８）からディスクローター（Ｒ）のコイン受け入れ孔（３１）を通じてコイン搬送路（Ｐ）内へ取り込んだコイン（Ｃ）を、そのディスクローター（Ｒ）の後方弯曲翼（３２）により押し進め搬送して、上記コイン払出し口（Ｏ）から順次払い出すホッパー型コイン払出し装置において、
上記カウント機構（Ａ）をローター受け盤（１７）から裏向き一体的に突出する共通の回動支点軸（４４）へ、別個独立して回動できるように枢着された第１、２カウントアーム（４３ａ）（４３ｂ）と、上記コイン払出し口（Ｏ）の開口一端縁部と開口他端縁部へ張り出し並列する位置関係として、その第１、２カウントアーム（４３ａ）（４３ｂ）の先端部へ各々枢支された遊転自在の第１、２カウントローラー（４１ａ）（４１ｂ）と、同じく第１、２カウントアーム（４３ａ）（４３ｂ）の先端部から各々一体的に張り出す検出片（４７ａ）（４７ｂ）を検出するため、上記ローター受け盤（１７）の裏面へ対応的に固定支持された第１、２カウントセンサー（４６ａ）（４６ｂ）とから形作り、
上記第１、２カウントアーム（４３ａ）（４３ｂ）とローター受け盤（１７）との相互間へ各々連繋させた第１、２引張りコイルバネ（５０ａ）（５０ｂ）により、その第１、２カウントローラー（４１ａ）（４１ｂ）の向かい合う相互間隔（Ｗ）を予じめコイン（Ｃ）の直径よりも狭幅な張り出し基準状態に位置決め付勢して、
その第１、２カウントローラー（４１ａ）（４１ｂ）へコイン（Ｃ）が接触することにより押し広げられる第１、２カウントアーム（４３ａ）（４３ｂ）の回動作用と、その検出片（４７ａ）（４７ｂ）を検出する第１、２カウントセンサー（４６ａ）（４６ｂ）により、上記コイン（Ｃ）の払出し枚数を１枚としてカウントするように設定したことを特徴とするホッパー型コイン払出し装置。
【発明の詳細な説明】
【０００１】
【発明の属する技術分野】
本発明は遊技機の代表的なスロットマシンを初め、釣り銭機や両替機、各種商品の自動販売機などに内蔵設置して、必要な枚数のコイン（本明細書中、メダルやその他の擬似コインも含む。）を払い出すために使うホッパー型コイン払出し装置に関する。
【０００２】
【従来の技術】
この種のホッパー型コイン払出し装置における払い出し枚数の不慮なカウントミスや、異物の挿入によりコインのカウント作用を阻止し、余分に払い出させる不正行為を予防するための公知技術としては、特開平９−３１９９０８号が提案されている。
【０００３】
そして、この公知発明の場合コイン払出し口（５２）の開口一端縁部（下側）に固定ローラー（５４）を臨ませる一方、これと向かい合う開口他端縁部（上側）に、可動ローラー（５６）とその別個な外側可動ローラー（５８）との並列する一対を臨ませて、その合計３個のローラー（５４）（５６）（５８）にコイン（３０）が当接し、両可動ローラー（５６）（５８）のリンク（６１）（６３）が予定位置まで回動することにより、カウントセンサー（透過型フォトセンサー）（８０）の発光部（９４）と受光部（９６）を、その遮光状態から透光状態へ開放させた時にのみ、初めてコイン（３０）の払い出し枚数を１枚としてカウントするようになっている。
【０００４】
【発明が解決しようとする課題】
ところが、このような公知発明の構成ではコイン払出し口（５２）をコイン（３０）の直径よりも狭幅に制限している一方が、依然固定状態での遊転するに過ぎない固定ローラー（５４）であるため、これと向かい合う他方の可動ローラー（５６）へ、更に別個な外側可動ローラー（５８）を追加設置したとしても、その一対の可動ローラー（５６）（５８）が極めて接近した並列状態にあり、しかも共通する１本の回動支点軸（６６）によって、リンク・センサー取付基板（６４）へ枢着されている以上、その一対の可動ローラー（５６）（５８）は未だコイン払出し口（５２）から挿入される単一の板片や棒、その他の異物によって、一挙同時に押し込みロックされる余地がある。
【０００５】
そうすると、両可動ローラー（５６）（５８）のリンク（６１）（６３）も予定位置まで回動しなくなり、単一のカウントセンサー（８０）がコイン（３０）のカウント作用を阻止されたままの状態として、その両可動ローラー（５６）（５８）と上記固定ローラー（５４）との広幅に拡開したコイン払出し口（５２）を通じて、余分のコイン（３０）が次々と払い出されてしまうのである。
【０００６】
【課題を解決するための手段】
本発明はこのような課題の改良を企図しており、そのための構成上据付け台の表面に固定設置されて、平面視の円形なローター受け入れ凹溝を区画すると共に、そのローター受け入れ凹溝の円周面一部にコイン払出し口が切り欠かれたローター受け盤と、
【０００７】
放射対称分布型に開口する複数のコイン受け入れ孔とその隣り合う相互間から裏向き一体的に突出する複数の後方弯曲翼とを備えた円盤型のディスクローター本体が、上記ローター受け盤のローター受け入れ凹溝内へ落し込み嵌合されたコイン搬送用ディスクローターと、
【０００８】
そのディスクローターの回転駆動用モーターと、
【０００９】
上記ローター受け盤の表面へそのローター受け入れ凹溝との合致連通状態に取り付け固定されて、上記ディスクローターを抜け止め状態に拘束するコイン収容ホッパーと、
【００１０】
上記ローター受け入れ凹溝の溝底面からディスクローターの回転によるコインの搬送路内へ起立して、そのコインを上記コイン払出し口に向かって誘導するコイン誘導子と、
【００１１】
上記コイン払出し口からのコイン払出し枚数をカウントするカウント機構とから成り、
【００１２】
上記コイン収容ホッパーからディスクローターのコイン受け入れ孔を通じてコイン搬送路内へ取り込んだコインを、そのディスクローターの後方弯曲翼により押し進め搬送して、上記コイン払出し口から順次払い出すホッパー型コイン払出し装置において、
【００１３】
第１に、上記カウント機構をローター受け盤から裏向き一体的に突出する共通の回動支点軸へ、別個独立して回動できるように枢着された第１、２カウントアームと、上記コイン払出し口の開口一端縁部と開口他端縁部へ張り出し並列する位置関係として、その第１、２カウントアームの先端部へ各々枢支された遊転自在の第１、２カウントローラーと、同じく第１、２カウントアームの基端部から各々一体的に張り出す検出片を検出するため、上記ローター受け盤の裏面に固定支持された１個のカウントセンサーとから形作り、
【００１４】
上記第１、２カウントアームとローター受け盤との相互間へ各々連繋させた第１、２引張りコイルバネにより、その第１、２カウントローラーの向かい合う相互間隔を予じめコインの直径よりも狭幅な張り出し基準状態に位置決め付勢して、
【００１５】
その第１、２カウントローラーへコインが接触することにより押し広げられる第１、２カウントアームの回動作用と、その検出片を検出するカウントセンサーにより、上記コインの払出し枚数を１枚としてカウントするように設定したことを特徴とし、
【００１６】
又、第２に上記カウント機構をローター受け盤から裏向き一体的に突出する共通の回動支点軸へ、別個独立して回動できるように枢着された第１、２カウントアームと、上記コイン払出し口の開口一端縁部と開口他端縁部へ張り出し並列する位置関係として、その第１、２カウントアームの先端部へ各々枢支された遊転自在の第１、２カウントローラーと、同じく第１、２カウントアームの先端部から各々一体的に張り出す検出片を検出するため、上記ローター受け盤の裏面へ対応的に固定支持された第１、２カウントセンサーとから形作り、
【００１７】
上記第１、２カウントアームとローター受け盤との相互間へ各々連繋させた第１、２引張りコイルバネにより、その第１、２カウントローラーの向かい合う相互間隔を予じめコインの直径よりも狭幅な張り出し基準状態に位置決め付勢して、
【００１８】
その第１、２カウントローラーへコインが接触することにより押し広げられる第１、２カウントアームの回動作用と、その検出片を検出する第１、２カウントセンサーにより、上記コインの払出し枚数を１枚としてカウントするように設定したことを特徴とするものである。
【００１９】
【発明の実施の形態】
以下、図面に基いて本発明の具体的構成を詳述すると、そのホッパー型コイン払出し装置の組立状態と分解状態を示した図１〜９において、（１０）は金属板から枠組み一体化された据付け台であり、その一定角度（例えば約３０度）（α）だけ傾斜する開口表面には、平面視の四角形な金属製ベースプレート（１１）が上方から施蓋状態に取り付け固定されている。
【００２０】
（１２）は減速ギヤ機構の内蔵ケース（１３）を備えたディスクローター回転駆動用モーターであり、上記傾斜設置状態に保たれているベースプレート（１１）の裏面へ、言わば吊り下げ固定状態に取り付けられている。（１４）は上記モーター（１２）の出力軸であり、その起立先端部には後述のディスクローター用取付ボルトを受け入れるネジ孔（１５）が穿設されているほか、同じく出力軸（１４）の中途高さ位置にはキー（１６）が直交する貫通状態に差し込み一体化されている。
【００２１】
又、（１７）は同じく傾斜設置状態に保たれている上記ベースプレート（１１）の表面へ、上方から積み重ね状態に固定一体化された合成樹脂製のローター受け盤であって、そのベースプレート（１１）とほぼ対応する大きさ・形状を備えており、これには一定深さ（ｇ）だけ陥没する平面視の円形なローター受け入れ凹溝（Ｇ）が区成されている。
【００２２】
そして、そのローター受け盤（１７）のローター受け入れ凹溝（Ｇ）内へ上方から対応的に落し込み嵌合されたコイン搬送用ディスクローター（Ｒ）が、上記モーター（１２）によって図４の時計方向（ｆ）へ回転駆動され、コイン収容ホッパー（１８）内のコイン（Ｃ）を後述のコイン払出し口へ、順次押し進め搬送するようになっている。
【００２３】
コイン収容ホッパー（１８）は図１〜３のように、上記ローター受け入れ凹溝（Ｇ）と合致連通する開口底面を備えた合成樹脂製品であって、その取付座（１９）が上記ローター受け盤（１７）の表面へ上方から着脱自在に取り付け固定されることにより、上記ディスクローター（Ｒ）をそのローター受け入れ凹溝（Ｇ）から上方へ抜け出さない状態に拘束する。
【００２４】
上記ローター受け盤（１７）の表面から一定深さ（ｇ）だけ陥没する円形のローター受け入れ凹溝（Ｇ）は、図４、５の平面図に示す如く、斜め上部位置での部分的に切り欠かれたほぼＣ字型の縁取り状態にあり、その上半部がローター受け盤（１７）自身の合成樹脂から成る円弧状縁取り段面（２０）として、そのフラットな溝底面からコイン（Ｃ）の厚み（ｔ）とほぼ等しい一定高さだけ隆起している。
【００２５】
これに対して、同じくローター受け入れ凹溝（Ｇ）の残る下半部ではそのフラットな溝底面へ、図３〜５のようなコイン（Ｃ）の厚み（ｔ）とほぼ等しい厚みのステンレス鋼板などから成る別個な円弧状の縁取り補強面金（２１）が、上記ベースプレート（１１）の裏側から螺入する複数の固定ビス（２２）によって取り付け一体化されている。
【００２６】
上記合成樹脂製品のローター受け盤（１７）は図１のような傾斜設置状態にあるため、その塵埃の堆積しやすいローター受け入れ凹溝（Ｇ）の円弧状下半部において、ローター受け入れ凹溝（Ｇ）の縁取り面がディスクローター（Ｒ）や、これにより押し進め搬送されるコイン（Ｃ）と摺れ合うことに起因して不正変形するおそれを、上記縁取り補強面金（２１）によって防止し、そのローター受け盤（１７）の耐用性を昂める趣旨である。
【００２７】
但し、このような趣旨を達成するために、上記縁取り補強面金（２１）をローター受け入れ凹溝（Ｇ）と対応合致する大きなほぼＣ字型に作成準備して、そのローター受け入れ凹溝（Ｇ）の円弧状上半部も含む全体の縁取り補強状態に取り付け固定しても良く、又上記ローター受け盤（１７）を金属製品として、例えば特公平４−３４１９６号に見られるようなルームプレートとゲートプレート並びにライナープレートなどの複数枚から積層一体化してもさしつかえない。
【００２８】
先に一言したコイン搬送用ディスクローター（Ｒ）は、合成樹脂から図１０〜１４のように一体成形されている。
【００２９】
即ち、そのディスクローター（Ｒ）を抽出して示した図１０〜１４において、（２３）は上記ローター受け盤（１７）に陥没するローター受け入れ凹溝（Ｇ）の深さ（ｇ）とほぼ対応する一定な厚みの円盤型に造形されたディスクローター本体であり、全体的にフラットな表面を有するが、その中心部はコイン（Ｃ）を周縁部との相互中間帯域へ落ち着き転倒させるための円錐凸子（２４）として、表向きに背高く隆起されていると共に、同じく中心部からは取付ボス（２５）が裏向き連続的に突出している。
【００３０】
図１１〜１３から明白なように、上記中心部の円錐凸子（２４）がディスクローター本体（２３）の一定厚みよりも背高く隆起しているに反し、同じくディスクローター本体（２３）の周縁部はコイン係止フランジ（２６）として、コイン（Ｃ）の厚み（ｔ）とほぼ対応する一定高さだけ表向きに背低く隆起しており、ここにコイン（Ｃ）の円周面が受け止められるようになっている。
【００３１】
（２７）は上記ディスクローター本体（２３）の取付ボス（２５）に裏向き開口状態として切り欠かれたキー溝であり、上記モーター（１２）の出力軸（１４）を貫通しているキー（１６）と嵌合されることになる。（２８）は上記円錐凸子（２４）に表向き開口状態として穿設されたリング状のバネ受け凹溝であり、その内部には圧縮コイルバネ（２９）が封入される。
【００３２】
そして、図３から明白な通り、その圧縮コイルバネ（２９）を強制的に押し込む如く、ディスクローター用取付ボルト（３０）が上記モーター（１２）の出力軸（１４）に開口するネジ孔（１５）へ、表側から螺入締結されることによって、ディスクローター（Ｒ）がそのモーター（１２）の出力軸（１４）へ一体回転し得るように取り付けられているのである。
【００３３】
上記ディスクローター本体（２３）の中心部をなす円錐凸子（２４）と、同じく周縁部をなすコイン係止フランジ（２６）とのフラットな相互中間帯域には、複数（図例では合計６個）のコイン受け入れ孔（３１）が一定なＰ．Ｃ．Ｄ（Ｐｉｔｃｈ　Ｃｉｒｃｌｅ　Ｄｉａｍｅｔｅｒ）（ｄ）を保つ全体的な放射対称分布型に開口形成されている。
【００３４】
又、（３２）は上記コイン受け入れ孔（３１）の隣り合う相互間に介在する位置関係として、ディスクローター本体（２３）からコイン（Ｃ）の厚み（ｔ）とほぼ対応する一定高さ（ｈ１）だけ裏向き一体的に突出された複数（図例では合計６個）の後方弯曲翼であり、そのディスクローター（Ｒ）における回転進行方向（ｆ）の後面が、各コイン受け入れ孔（３１）の開口縁部に沿って弯曲する凹曲面（３２ｒ）をなし、且つ同じく回転進行方向（ｆ）の前面が凸曲面（３２ｆ）をなす先細り形態に延在して、上記ディスクローター本体（２３）のコイン受け入れ孔（３１）内へ取り込んだコイン（Ｃ）を、その後方弯曲翼（３２）の凸曲面（前面）（３２ｆ）により押し進め搬送する。
【００３５】
つまり、その後方弯曲翼（３２）が裏向きに突出することと相対して、ディスクローター本体（２３）の言わば切り欠かれた関係状態に残るフラットな裏面と、上記ローター受け盤（１７）におけるローター受け入れ凹溝（Ｇ）のフラットな溝底面との向かい合う上下相互間隙が、コイン（Ｃ）の押し進められる搬送路（Ｐ）として機能し得るように画定されているわけである。
【００３６】
（３３）は上記ローター受け入れ凹溝（Ｇ）内の中心部において、そのローター受け盤（１７）とベースプレート（１１）との貫通状態に開口形成された軸受け孔であり、ディスクローター（Ｒ）の上記取付ボス（２５）を受け入れる。（３４）は同じくローター受け入れ凹溝（Ｇ）の周辺部において、やはりローター受け盤（１７）とベースプレート（１１）との貫通状態に開口分布された複数の塵埃搬出孔であり、特に上記ローター受け入れ凹溝（Ｇ）の円弧状下半部に多く集中している。
【００３７】
更に、（３５）は上記ベースプレート（１１）の裏面へ下方から複数の固定ビス（３６）を介して取り付けられた金属板バネであり、その二叉フォーク状に分岐する自由先端部からは図４〜６のように、２個一対として並列するコイン誘導子（３７）が表向き一体的に植立されている。（３８）はそのコイン誘導子用出没孔の２個一対であり、これらも上記ローター受け盤（１７）とベースプレート（１１）との貫通状態に開口分布されている。
【００３８】
つまり、コイン誘導子（３７）はベースプレート（１１）の裏側から出没孔（３８）を通じ、上記コイン搬送路（Ｐ）の内部へ臨む表向きとして、常時コイン（Ｃ）の厚み（ｔ）とほぼ対応する一定高さ（ｈ２）だけ起立する弾圧付勢状態に保たれており、図１５から明白なように、上記時計方向（ｆ）へ回転するディスクローター（Ｒ）によって、コイン搬送路（Ｐ）に沿い押し進め搬送されてくるコイン（Ｃ）を一旦受け止め、後述のコイン払出し口へ方向変換させる如く誘導するようになっているのである。
【００３９】
そのため、上記ディスクローター本体（２３）の中心部から周縁部に向かう一定長さの先細り形態として延在する各後方弯曲翼（３２）の中途部には、上記コイン誘導子（３７）との干渉を防ぐコイン誘導子用逃し凹溝（３９）が対応的に切り欠かれており、その切り欠きによって各後方弯曲翼（３２）が図１４のような根元側翼片（３２ａ）と先端側翼片（３２ｂ）との２個に分割されている。
【００４０】
その場合、図例のコイン誘導子（３７）は並列する２個一対として、コイン搬送路（Ｐ）の内部へ一定高さ（ｈ２）だけ起立している関係上、そのコイン誘導子用逃し凹溝（３９）もこれらと対応位置する言わば２列として、各後方弯曲翼（３２）の中途部に切り欠かれていることは勿論である。
【００４１】
（４０）は後方弯曲翼用の補強ピンであって、ステンレス鋼棒から成り、その複数（図例では合計６本）が上記後方弯曲翼（３２）における就中先端側翼片（３２ｂ）の前端角隅部へ点在分布する位置関係として、ディスクローター本体（２３）へ表側から植え込み一体化されている。
【００４２】
これによって、合成樹脂からディスクローター本体（２３）と一体成形されている後方弯曲翼（３２）の先端側翼片（３２ｂ）が、金属製品のコイン（Ｃ）と直かに繰り返し摺擦して、早期に摩耗したり、その前端角隅部から欠落したり、或いは割れたりするおそれを防ぐようになっているが、上記ディスクローター（Ｒ）自身として金属製品を採用する場合には、その後方弯曲翼用補強ピン（４０）の設置を省略しても良い。
【００４３】
上記ローター受け盤（１７）の表面から一定深さ（ｇ）だけ陥没するローター受け入れ凹溝（Ｇ）が、図４、５のような斜め上部位置での部分的に切り欠かれたほぼＣ字型の縁取り状態にある旨を説明したが、そのＣ字型の切り欠き部分はコイン（Ｃ）の直径よりも広幅なコイン払出し口（Ｏ）として、上記ディスクローター（Ｒ）により押し進め搬送されてきたコイン（Ｃ）を、ここからコイン誘導子（３７）により１枚づつ払い出すようになっている。
【００４４】
（Ａ）はコイン（Ｃ）の払出し枚数をカウントするため、上記コイン払出し口（Ｏ）に臨まされたカウント機構であって、その第１、２カウントローラー（４１ａ）（４１ｂ）の向かい合う相互間隔（Ｗ）が予じめコイン（Ｃ）の直径よりも狭幅な張り出し基準状態に保たれており、上記コイン払出し口（Ｏ）に向かって誘導されるコイン（Ｃ）が、必らず第１、２カウントローラー（４１ａ）（４１ｂ）と接触して、これらを押し広げるようになっている。
【００４５】
即ち、そのカウント機構（Ａ）の明白な図４、５、７〜９において、（４２）は第１カウントローラー用の移動ガイド孔であり、そのコイン払出し口（Ｏ）の開口一端縁部（下側）に位置しつつ、上記ローター受け盤（１７）とベースプレート（１１）との貫通状態に開口形成されている。
【００４６】
（４３ａ）は一定長さの金属板片から成る第１カウントアームであり、その基端部が上記ベースプレート（１１）から裏向き一体的に突出する回動支点軸（４４）へ、回動自在に枢着されている一方、同じく第１カウントアーム（４３ａ）の先端部から上記第１カウントローラー用の移動ガイド孔（４２）を通じて、表向き一体的に起立した枢支ピン（４５ａ）の上端部へ、第１カウントローラー（４１ａ）が遊転自在に嵌合されている。
【００４７】
しかも、上記第１カウントアーム（４３ａ）の基端部からは、カウントセンサー（４６）による検出片（４７ａ）が一体的に張り出されている。（４８）は上記ベースプレート（１１）の裏面へ下方から複数の固定ビス（４９）により取り付け一体化されたセンサー支持台であって、その第１カウントアーム（４３ａ）の検出片（４７ａ）と対応する位置に上記カウントセンサー（４６）の１個が固定支持されている。
【００４８】
（５０ａ）は上記第１カウントアーム（４３ａ）の先端部に枢支された第１カウントローラー（４１ａ）を、コイン払出し口（Ｏ）への張り出し付勢状態に保つ第１引張りコイルバネであり、その第１カウントアーム（４３ａ）の先端部とベースプレート（１１）から裏向きに切り起されたバネ受け片（５１ａ）との相互間へ、そのベースプレート（１１）とほぼ平行な横架状態に連繋されている。
【００４９】
又、（５２ａ）は同じくベースプレート（１１）から裏向きに切り起された第１カウントアーム用の位置決めストッパー片であり、上記第１引張りコイルバネ（５０ａ）の付勢力を受けた第１カウントアーム（４３ａ）の中途部が、その位置決めストッパー片（５２ａ）に受け止められた状態において、上記第１カウントローラー（４１ａ）が図４、５、９のように、コイン払出し口（Ｏ）へ張り出した基準状態に位置決めされると共に、同じく検出片（４７ａ）が上記カウントセンサー（４６）と正しく対応位置するようになっている。
【００５０】
（５３ａ）は上記位置決めストッパー片（５２ａ）と向かい合う位置関係として、やはりベースプレート（１１）から裏向きに切り起された第１カウントアーム用の回動ストッパー片であり、上記第１引張りコイルバネ（５０ａ）に抗して回動される第１カウントアーム（４３ａ）の中途部を受け止めるようになっている。上記第１カウントアーム（４３ａ）の回動作用範囲が、その位置決めストッパー片（５２ａ）と回動ストッパー片（５３ａ）によって一定に規制されているのである。
【００５１】
他方、（５４）は第２カウントアーム用の移動ガイド孔であって、上記コイン払出し口（Ｏ）の開口他端縁部（上側）に位置しつつ、やはりローター受け盤（１７）とベースプレート（１１）との貫通状態に開口形成されている。
【００５２】
（４３ｂ）は上記第１カウントアーム（４３ａ）と向かい合う対称な金属板片から成る第２カウントアームであり、その基端部が上記回動支点軸（４４）へ別個独立して回動し得るように枢着されていると共に、同じく第２カウントアーム（４３ｂ）の先端部から上記第２カウントローラー用の移動ガイド孔（５４）を通じて、表向き一体的に起立した枢支ピン（４５ｂ）の上端部へ、第２カウントローラー（４１ｂ）が遊転自在に嵌合されている。
【００５３】
又、第２カウントアーム（４３ｂ）の基端部からも、上記カウントセンサー（４６）による検出片（４７ｂ）が一体的に張り出されている。（５０ｂ）は上記第２カウントアーム（４３ｂ）の先端部に枢支された第２カウントローラー（４１ｂ）を、常時コイン払出し口（Ｏ）への張り出し付勢状態に維持する第２引張りコイルバネであり、その第２カウントアーム（４３ｂ）の先端部と上記ベースプレート（１１）から裏向きに切り起されたバネ受け片（５１ｂ）との向かい合う相互間へ、そのベースプレート（１１）とほぼ平行な横架状態に連繋されている。
【００５４】
その場合、上記第１、２カウントアーム（４３ａ）（４３ｂ）は共通する１本の回動支点軸（４４）へ、図７、８のような一定間隔を保つ上下位置関係のもとに枢着されているため、その第１、２引張りコイルバネ（５０ａ）（５０ｂ）の干渉するおそれはない。上記検出片（４７ａ）（４７ｂ）を備えた第１、２カウントアーム（４３ａ）（４３ｂ）の一対や、その第１、２引張りコイルバネ（５０ａ）（５０ｂ）の一対は、互いに同じ大きさ・形状のそれを使用することが望ましい。
【００５５】
（５２ｂ）はやはりベースプレート（１１）から裏向きに切り起された第２カウントアーム用の位置決めストッパー片であり、上記第２引張りコイルバネ（５０ｂ）の付勢力を受けた第２カウントアーム（４３ｂ）の中途部が、その位置決めストッパー片（５２ｂ）に受け止められた状態において、上記第２カウントローラー（４１ｂ）が図４、５、９のように、コイン払出し口（Ｏ）へ張り出した基準状態に位置決めされると共に、同じく検出片（４７ｂ）が上記カウントセンサー（４６）とやはり正しく対応位置するようになっている。
【００５６】
つまり、上記第１、２カウントアーム（４３ａ）（４３ｂ）がその共通の回動支点軸（４４）を介して、図４、５、９のような平面視のＶ字型に交叉しており、その先端部の第１、２カウントローラー（４１ａ）（４１ｂ）がコイン払出し口（Ｏ）へ張り出し付勢された位置決め基準状態において、その向かい合う相互間隔（Ｗ）をコイン（Ｃ）の直径よりも狭幅に保っている。
【００５７】
そして、コイン払出し口（Ｏ）に向かって誘導されてくるコイン（Ｃ）が、必らず第１、２カウントローラー（４１ａ）（４１ｂ）と接触し、その第１、２カウントアーム（４３ａ）（４３ｂ）を第１、２引張りコイルバネ（５０ａ）（５０ｂ）の付勢力に抗しつつ、何れも回動支点軸（４４）の廻りに押し広げる如く回動作用させることになり、その検出片（４７ａ）（４７ｂ）を共通する１個のカウントセンサー（４６）が検出することにより初めて、コイン（Ｃ）の払出し枚数を１枚としてカウントするようになっているのである。
【００５８】
この点、図示の実施形態では上記カウントセンサー（４６）を透過型の光電スイッチとして、その透光部（ａ）と受光部（ｂ）との向かい合う相互間を、第１、２カウントアーム（４３ａ）（４３ｂ）の検出片（４７ａ）（４７ｂ）が横断するようになっているが、これに代る反射型の光電スイッチや近接スイッチ、その他の物体（コイン）検出センサーを採用しても良い。
【００５９】
尚、（５３ｂ）は上記第２カウントアーム（４３ｂ）の位置決めストッパー片（５２ｂ）と向かい合う位置関係として、ベースプレート（１１）から裏向きに切り起された第２カウントアーム用の回動ストッパー片であり、その第２引張りコイルバネ（５０ｂ）に抗して回動される第２カウントアーム（４３ｂ）の中途部を受け止めることとなる。上記第２カウントアーム（４３ｂ）の回動作用範囲が、その位置決めストッパー片（５２ｂ）と回動ストッパー片（５３ｂ）によって一定に規制されているわけである。
【００６０】
更に、図示の実施形態では上記コイン誘導子（３７）によって万一コイン払出し口（Ｏ）へ方向変換されず、そのコイン誘導子（３７）への乗り上げ突っ張り状態に咬み込んだコイン（Ｃ）を、コイン払出し口（Ｏ）へ矯正的に誘導するか、又は再度ディスクローター（Ｒ）によりコイン搬送路（Ｐ）へ取り込み復帰させるためのセパレートアーム（５５）が、上記ベースプレート（１１）から第１、２カウントアーム（４３ａ）（４３ｂ）の回動支点軸（４４）と平行な裏向き一体的に突出する特別の回動支点軸（５６）へ、回動自在に枢着されてもいる。
【００６１】
そのセパレートアーム（５５）は第１、２カウントアーム（４３ａ）（４３ｂ）よりも長い金属板片から成り、その中途部が上記回動支点軸（５６）へ枢着されていると共に、同じくセパレートアーム（５５）の一端部から上記第２カウントローラー用の移動ガイド孔（５４）を通じて、表向き一体的に起立した枢支ピン（５７）の上端部へ、セパレートローラー（５８）が遊転自在に嵌合されている。
【００６２】
つまり、上記ローター受け盤（１７）とベースプレート（１１）を貫通する第２カウントローラー用の移動ガイド孔（５４）が、セパレートローラー（５８）のそれとしても共通する大きな１個として開口形成されており、その第２カウントローラー（４１ｂ）とセパレートローラー（５８）がコイン払出し口（Ｏ）の開口他端縁部（上側）へ張り出し並列する状態にある。
【００６３】
その場合、セパレートアーム（５５）における回動支点軸（５６）からセパレートローラー（５８）の枢支ピン（５７）までの作用長さ（Ｌ１）は、同じく回動支点軸（５６）から残る他端部までの作用長さ（Ｌ２）に比して、極めて短かく寸法化されており、そのセパレートアーム（５５）の他端部からはバネ受け片（５９）が裏向きに曲げ起されている。
【００６４】
（６０）はそのセパレートアーム（５５）のバネ受け片（５９）と向かい合い対応するように、上記ベースプレート（１１）から裏向きに切り起されたバネ受け片であり、その両バネ受け片（５９）（６０）の相互間へ連繋掛架された引張りコイルバネ（６１）によって、上記セパレートアーム（５５）の一端部に枢支されているセパレートローラー（５８）が、常時ディスクローター（Ｒ）の円周面へ臨むこととなる付勢状態に保たれている。
【００６５】
しかも、茲にセパレートローラー（５８）を付勢する引張りコイルバネ（６１）の張力は、上記第２カウントローラー（４１ｂ）をコイン払出し口（Ｏ）への張り出し状態に付勢する第２引張りコイルバネ（５０ｂ）の張力よりも強く設定されている。
【００６６】
その結果、コイン（Ｃ）を突っ張り状態に咬み込んだ場合に限り、そのコイン（Ｃ）の強い押圧力を受けたセパレートアーム（５５）が、上記回動支点軸（５６）の廻りにディスクローター（Ｒ）の円周面から退動して、そのセパレートローラー（５８）自身の遊転作用により、上記咬み込んだコイン（Ｃ）を自づとコイン払出し口（Ｏ）へ矯正的に誘導するか、又は再度ディスクローター（Ｒ）によりコイン搬送路（Ｐ）へ取り込み復帰させることができ、そのコイン（Ｃ）の咬み込み状態を瞬時に解消し得るのである。
【００６７】
尚、（６２）はセパレートアーム（５５）の中途部を受け止める位置決めストッパー片であって、上記ベースプレート（１１）から対応的な裏向きに切り起されており、その位置決めストッパー片（６２）によるセパレートアーム（５５）の受け止め状態において、セパレートアーム（５５）の一端部に付属しているセパレートローラー（５８）が、図４、５、９のように予じめディスクローター（Ｒ）の円周面へ正しく臨む基準状態に位置決めされ、上記第２カウントローラー（４１ｂ）との並列状態に保たれる。
【００６８】
上記のように構成された本発明のホッパー型コイン払出し装置では、コイン搬送用ディスクローター（Ｒ）がそのモーター（１２）によって、図４、１５の時計方向（ｆ）へ回転駆動されると、コイン収容ホッパー（１８）の内部に収容されているコイン（Ｃ）が、自づとディスクローター本体（２３）のコイン受け入れ孔（３１）を通じて、ローター受け盤（１７）におけるローター受け入れ凹溝（Ｇ）との上下相互間に画定されているコイン搬送路（Ｐ）へ取り込まれ、上記ディスクローター本体（２３）から裏向きに突出している後方弯曲翼（３２）により、そのコイン搬送路（Ｐ）の内部をコイン誘導子（３７）に向かって押し進め搬送される。
【００６９】
そのコイン誘導子（３７）はコイン搬送路（Ｐ）の内部に起立しつつも、上記ローター受け盤（１７）に切り欠かれたコイン払出し口（Ｏ）の付近に対応位置しており、そのコイン払出し口（Ｏ）の開口一端縁部（下側）と開口他端縁部（上側）には、カウント機構（Ａ）の第１、２カウントローラー（４１ａ）（４１ｂ）も向かい合う張り出し付勢状態に臨まされているため、上記ディスクローター（Ｒ）により押し進め搬送されてきたコイン（Ｃ）は、やがてコイン誘導子（３７）に一旦受け止められて、上記コイン搬送路（Ｐ）からコイン払出し口（Ｏ）へ方向を変えるように誘導され、そのコイン（Ｃ）に働くディスクローター（Ｒ）の回転遠心力とも相俟って、上記コイン払出し口（Ｏ）から順次円滑に払い出されることとなる。
【００７０】
その払い出し過程のコイン（Ｃ）は図１５〜１７のように、予じめコイン（Ｃ）の直径よりも狭幅な相互間隔（Ｗ）を保って向かい合う張り出し基準状態の第１、２カウントローラー（４１ａ）（４１ｂ）と確実に接触して、その第１、２カウントアーム（４３ａ）（４３ｂ）を第１、２引張りコイルバネ（５０ａ）（５０ｂ）の付勢力に抗しつつ、何れも回動支点軸（４４）の廻りに押し広げる如く回動作用させることになるため、その第１、２カウントアーム（４３ａ）（４３ｂ）の検出片（４７ａ）（４７ｂ）を検出する１個のカウントセンサー（４６）により、上記コイン（Ｃ）の払出し枚数が正確にカウントされる。
【００７１】
つまり、本発明に係るカウント機構（Ａ）の場合、その第１、２カウントローラー（４１ａ）（４１ｂ）の一対が共通の回動支点軸（４４）を中心として回動作用する第１、２カウントアーム（４３ａ）（４３ｂ）に枢支されており、その第１、２カウントアーム（４３ａ）（４３ｂ）の両者が回動作用し、その検出片（４７ａ）（４７ｂ）を共通する１個のカウントセンサー（４６）が検出することにより初めて、コイン（Ｃ）の払出し枚数を１枚としてカウントするようになっているのである。
【００７２】
その結果、コイン払出し口（Ｏ）をコイン（Ｃ）の直径よりも狭幅に制限する一方が、冒頭に述べた従来技術のような固定状態での遊転するに過ぎない固定ローラー（５４）と異なり、その第１、２カウントローラー（４１ａ）（４１ｂ）や第１、２カウントアーム（４３ａ）（４３ｂ）の検出片（４７ａ）（４７ｂ）を、上記コイン払出し口（Ｏ）から挿入する単一の板片や棒、その他の異物により、一挙同時に押し込みロックして、そのカウントセンサー（４６）のカウント作用を阻止することは不可能であり、その外部からの不正行為を確実に防止することができる。
【００７３】
更に、コイン（Ｃ）が何等かの原因によってコイン払出し口（Ｏ）へ円滑に誘導されず、そのコイン誘導子（３７）に乗り上げてしまって、コイン（Ｃ）の中心が上記後方弯曲翼（３２）の凸曲面（前面）（３２ｆ）における曲率半径の中心と、上記セパレートローラー（５８）の中心とを結ぶ仮想直線上に偶然位置しつつ、そのセパレートローラー（５８）とディスクローター（Ｒ）との相互間へ突っ張り状態に咬み込まれたような場合、上記セパレートアーム（５５）はディスクローター（Ｒ）の強制的な押し進め搬送力を受担したコイン（Ｃ）により、その引張りコイルバネ（６１）の付勢力に抗して、上記回動支点軸（５６）の廻りにディスクローター（Ｒ）の円周面から退避する方向へ回動されてしまうことになる。
【００７４】
そして、そのセパレートアーム（５５）の一端部に枢支されているセパレートローラー（５８）が、上記コイン（Ｃ）の突っ張り状態にある所謂思案点から、少しでもディスクローター（Ｒ）と同じ時計方向（ｆ）へ遊転すると、そのコイン（Ｃ）はコイン払出し口（Ｏ）に向かって自づと誘導される。
【００７５】
その際、上記カウント機構（Ａ）の第２カウントアーム（４３ｂ）とセパレートアーム（５５）は、各別の回動支点軸（４４）（５６）へ回動し得るように枢着されているため、上記セパレートアーム（５５）の回動作用と無関係に、依然としてコイン払出し口（Ｏ）への張り出し基準状態に引張り付勢されている第２カウントアーム（４３ｂ）のカウントローラー（４１ｂ）と、これと向かい合う第１カウントアーム（４３ａ）のカウントローラー（４１ａ）により、上記コイン払出し口（Ｏ）からのコイン払出し枚数を確実すにカウントすることができる。
【００７６】
他方、同じくセパレートローラー（５８）が上記コイン（Ｃ）の突っ張り状態にある思案点から、少しでもディスクローター（Ｒ）と異なる反時計方向へ遊転すると、その咬み込み状態のコイン（Ｃ）は自づとディスクローター（Ｒ）へ円滑に取り込み復帰されて、再度コイン搬送路（Ｐ）を押し進め搬送されることになり、上記第２カウントアーム（４３ｂ）のカウントローラー（４１ｂ）と接触しないため、誤ってカウントされてしまうおそれがなく、何れにしてもコイン（Ｃ）の咬み込み状態を瞬時に解消することができる。
【００７７】
次に、図１８、１９は本発明におけるカウント機構（Ａ）の変形実施形態を示しており、これでは基端部が１本の共通する回動支点軸（４４）へ枢着されて、平面視のＶ字型に交叉している第１、２カウントアーム（４３ａ）（４３ｂ）の先端部から、各々検出片（４７ａ）（４７ｂ）を張り出し延長させると共に、その第１、２カウントアーム（４３ａ）（４３ｂ）の検出片（４７ａ）（４７ｂ）を検出する第１、２カウントセンサー（４６ａ）（４６ｂ）の一対を、上記ベースプレート（１１）の裏面へ各々センサー支持台（４８ａ）（４８ｂ）によって取り付け固定している。
【００７８】
その他の構成は上記基本実施形態と実質的に同一であるため、その図１８、１９に図１〜１７との対応符号を記入するにとどめて、その詳細な説明を省略するが、このようなカウント機構（Ａ）の変形実施形態にあっても、第１、２カウントローラー（４１ａ）（４１ｂ）が共通の回動支点軸（４４）を中心として回動する第１、２カウントアーム（４３ａ）（４３ｂ）に枢支されており、その第１、２カウントアーム（４３ａ）（４３ｂ）の両者が回動作用し、その検出片（４７ａ）（４７ｂ）を対応的な第１、２カウントセンサー（４６ａ）（４６ｂ）が検出することにより初めて、上記コイン払出し口（Ｏ）からのコイン払出し枚数を１枚としてカウントするようになっているため、上記基本実施形態と同様の効果を達成することができ、やはり外部からの不正行為を確実に防止し得るのである。
【００７９】
【発明の効果】
以上のように、本発明では据付け台（１０）の表面に固定設置されて、平面視の円形なローター受け入れ凹溝（Ｇ）を区画すると共に、そのローター受け入れ凹溝（Ｇ）の円周面一部にコイン払出し口（Ｏ）が切り欠かれたローター受け盤（１７）と、
【００８０】
放射対称分布型に開口する複数のコイン受け入れ孔（３１）とその隣り合う相互間から裏向き一体的に突出する複数の後方弯曲翼（３２）とを備えた円盤型のディスクローター本体（２３）が、上記ローター受け盤（１７）のローター受け入れ凹溝（Ｇ）内へ落し込み嵌合されたコイン搬送用ディスクローター（Ｒ）と、
【００８１】
そのディスクローター（Ｒ）の回転駆動用モーター（１２）と、
【００８２】
上記ローター受け盤（１７）の表面へそのローター受け入れ凹溝（Ｇ）との合致連通状態に取り付け固定されて、上記ディスクローター（Ｒ）を抜け止め状態に拘束するコイン収容ホッパー（１８）と、
【００８３】
上記ローター受け入れ凹溝（Ｇ）の溝底面からディスクローター（Ｒ）の回転によるコイン（Ｃ）の搬送路（Ｐ）内へ起立して、そのコイン（Ｃ）を上記コイン払出し口（Ｏ）に向かって誘導するコイン誘導子（３７）と、
【００８４】
上記コイン払出し口（Ｏ）からのコイン払出し枚数をカウントするカウント機構（Ａ）とから成り、
【００８５】
上記コイン収容ホッパー（１８）からディスクローター（Ｒ）のコイン受け入れ孔（３１）を通じてコイン搬送路（Ｐ）内へ取り込んだコイン（Ｃ）を、そのディスクローター（Ｒ）の後方弯曲翼（３２）により押し進め搬送して、上記コイン払出し口（Ｏ）から順次払い出すホッパー型コイン払出し装置において、
【００８６】
上記カウント機構（Ａ）をローター受け盤（１７）から裏向き一体的に突出する共通の回動支点軸（４４）へ、別個独立して回動できるように枢着された第１、２カウントアーム（４３ａ）（４３ｂ）と、上記コイン払出し口（Ｏ）の開口一端縁部と開口他端縁部へ張り出し並列する位置関係として、その第１、２カウントアーム（４３ａ）（４３ｂ）の先端部へ各々枢支された遊転自在の第１、２カウントローラー（４１ａ）（４１ｂ）と、同じく第１、２カウントアーム（４３ａ）（４３ｂ）の基端部から各々一体的に張り出す検出片（４７ａ）（４７ｂ）を検出するため、上記ローター受け盤（１７）の裏面に固定支持された１個のカウントセンサー（４６）とから形作り、
【００８７】
上記第１、２カウントアーム（４３ａ）（４３ｂ）とローター受け盤（１７）との相互間へ各々連繋させた第１、２引張りコイルバネ（５０ａ）（５０ｂ）により、その第１、２カウントローラー（４１ａ）（４１ｂ）の向かい合う相互間隔（Ｗ）を予じめコイン（Ｃ）の直径よりも狭幅な張り出し基準状態に位置決め付勢して、
【００８８】
その第１、２カウントローラー（４１ａ）（４１ｂ）へコイン（Ｃ）が接触することにより押し広げられる第１、２カウントアーム（４３ａ）（４３ｂ）の回動作用と、その検出片（４７ａ）（４７ｂ）を検出するカウントセンサー（４６）により、上記コイン（Ｃ）の払出し枚数を１枚としてカウントするように設定してあるため、冒頭に述べた従来技術の課題を改良することができ、外部からの不正行為を確実に防止し得る効果があり、このような効果は請求項２の構成を採用するも、全く同様に達成されることとなる。
【図面の簡単な説明】
【図１】本発明に係るホッパー型コイン払出し装置の組立状態を示す側面図である。
【図２】図１の部分拡大断面図である。
【図３】図２の一部を更に拡大した断面図である。
【図４】コイン収容ホッパーを取りはずして示すコイン払出し装置の平面図である。
【図５】ローター受け盤を抽出して示す平面図である。
【図６】コイン誘導子の取付部分を示す拡大断面図である
【図７】図５の横方向から見た側面図である。
【図８】図５の８−８線に沿う拡大断面図である。
【図９】図５の裏方向から見た底面図である。
【図１０】コイン搬送用ディスクローターを抽出して示す平面図である。
【図１１】図１０の側面図である。
【図１２】図１０の１２−１２線に沿う拡大断面図である
【図１３】図１０の１３−１３線に沿う拡大断面図である。
【図１４】図１０の底面図である。
【図１５】コイン払出し口へのコイン誘導過程を示す平面図である。
【図１６】図１５に続くコインの払出し過程を示す平面図である。
【図１７】図１６の底面図である。
【図１８】本発明の変形実施形態を示す図１５に対応する平面図である。
【図１９】図１８に続くコインの払出し過程を示す平面図である。
【符号の説明】
（１０）・据付け台
（１１）・ベースプレート
（１２）・ディスクローター回転駆動用モーター
（１７）・ローター受け盤
（１８）・コイン収容ホッパー
（２３）・ディスクローター本体
（３１）・コイン受け入れ孔
（３２）・後方弯曲翼
（３７）・コイン誘導子
（４１ａ）・第１カウントローラー
（４１ｂ）・第２カウントローラー
（４３）・移動ガイド孔
（４２）・移動ガイド孔
（４３ａ）・第１カウントアーム
（４３ｂ）・第２カウントアーム
（４４）・回動支点軸
（４５ａ）・枢支ピン
（４５ｂ）・枢支ピン
（４６）・カウントセンサー
（４６ａ）・第１カウントセンサー
（４６ｂ）・第２カウントセンサー
（４７ａ）・検出片
（４７ｂ）・検出片
（５０ａ）・第１引張りコイルバネ
（５０ｂ）・第２引張りコイルバネ
（５２ａ）・位置決めストッパー片
（５２ｂ）・位置決めストッパー片
（５３ａ）・回動ストッパー片
（５３ｂ）・回動ストッパー片
（５４）・移動ガイド孔
（５５）・セパレートアーム
（５６）・回動支点軸
（５７）・枢支ピン
（５８）・セパレートローラー
（６１）・引張りコイルバネ
（Ａ）・カウント機構
（Ｃ）・コイン
（Ｇ）・ローター受け入れ凹溝
（Ｏ）・コイン払出し口
（Ｐ）・コイン搬送路
（Ｒ）・コイン搬送用ディスクローター
（Ｗ）・第１、２カウントローラーの相互間隔
【図１】
2004086529.tif 000003
【図２】
2004086529.tif 000004
【図３】
2004086529.tif 000005
【図４】
2004086529.tif 000006
【図５】
2004086529.tif 000007
【図６】
2004086529.tif 000008
【図７】
2004086529.tif 000009
【図８】
2004086529.tif 000010
【図９】
2004086529.tif 000011
【図１０】
2004086529.tif 000012
【図１１】
2004086529.tif 000013
【図１２】
2004086529.tif 000014
【図１３】
2004086529.tif 000015
【図１４】
2004086529.tif 000016
【図１５】
2004086529.tif 000017
【図１６】
2004086529.tif 000018
【図１７】
2004086529.tif 000019
【図１８】
2004086529.tif 000020
【図１９】
2004086529.tif 000021